(57)【要約】【課題】電極に挟み込んだ誘電体を電場により移動させて表示装置などとして機能させるための誘電体移動装置であって、隣接する電極間隔を狭くする必要なく、また高い電圧を印加する必要もなく、誘電体がその移動初期から移動のための十分な力を受けること。【解決手段】同一平板形状の複数の第１電極１１ａ，ｂ，…と複数第２の電極１２ａ，ｂ，…とをそれぞれ配列間隔ｄｈで平面方向に配列し、該第１電極配列と第２電極配列とを対向間隔ｄｖで対向させると共にその位置を電極配列方向に半ピッチ分ずらして平行配置し、第１電極と第２電極との対向空間ｄｖに電極配列方向に移動自在にした誘電体１３を挟み込み、該誘電体１３の位置から移動方向に順次半ピッチ分ずらして対向配置された第１電極１１ａ，ｂ，…と第２電極１２ａ，ｂ，…とに交互に他の電極と異なる電圧を印加することで、誘電体１３に対しその移動初期から直接的に電場による移動の力を与える。【選択図】      図１
2006221088.tif 000002
【特許請求の範囲】
【請求項１】
所定間隔を空けて所定方向に配列された複数の第１の電極と、
前記複数の第１の電極の配列方向に平行に対向し、且つ前記複数の第１の電極のそれぞれに対して、前記複数の第１の電極の配列方向にずれて配置される複数の第２の電極と、
前記第１の電極と第２の電極との間にその電極間を当該電極の配列方向に移動自在にして配置された誘電体と、
を備えたことを特徴とする誘電体移動装置。
【請求項２】
前記複数の第１の電極および前記複数の第２の電極うち、前記誘電体の位置に対して前記誘電体が移動しようとする向きにある側の電場が、前記誘電体の位置に対して前記移動しようとする向きと反対側の間に生じる電場より大きくなるように、前記誘電体の位置に対して前記誘電体が移動しようとする向きにある側の前記第１の電極と前記第２の電極との少なくともいずれか一つに電圧を印加する電圧印加手段を備えたことを特徴とする請求項１に記載の誘電体移動装置。
【請求項３】
前記電圧印加手段は、前記誘電体と重なる前記第１の電極と前記第２の電極のうち、前記誘電体が移動しようとする向きに相対的により延出している方に選択的に電圧を印加することを繰り返すことによって、前記誘電体を移動させることを特徴とする請求項２に記載の誘電体移動装置。
【請求項４】
前記第１の電極の長さと前記第２の電極の長さ、および前記第１の電極の配列間隔と前記第２の電極の配列間隔は、それぞれ同一であることを特徴とする請求項１に記載の誘電体移動装置。
【請求項５】
前記第１の電極と前記第２の電極との対向位置のずらし幅は、前記電極の長さにその配列間隔を加えた長さの２分の１の幅であることを特徴とする請求項１に記載の誘電体移動装置。
【請求項６】
前記誘電体の長さをＫ、前記各電極の長さをＬ、前記各電極を配列する一定間隔をｄｈとしたときに、Ｋ＞Ｌ＋ｄｈの関係を満たしたことを特徴とする請求項４に記載の誘電体移動装置。
【請求項７】
前記第１の電極または前記第２の電極の少なくとも一方の電極は透明の電極であり、前記誘電体は着色された誘電体であることを特徴とする請求項１に記載の誘電体移動装置。
【発明の詳細な説明】
【技術分野】
【０００１】
本発明は、誘電体を電場により移動させて表示装置などとして機能させるための誘電体移動装置に関する。
【背景技術】
【０００２】
従来の誘電体移動装置として、例えば同一出願人により昭和６０年５月３０日に出願された表示装置がある（特許文献１参照）。
【０００３】
この表示装置は、横長の第１電極とこの第１電極に沿って平行に複数の第２電極を配列し、当該各第２電極に対する駆動電圧の印加位置を変更することで第１電極との間に生じる電場を移動させ、これに応じて第１，第２電極間に挟み込んだ誘電体を移動させてその位置表示を行うものである。
【０００４】
図４は、従来の誘電体移動装置の構成および動作状態を示す図である。
【０００５】
この従来の誘電体移動装置は、例えば長方形の上電極２１とこの上電極２１に対し対向間隔ｄｖを空けて平行に複数配列された例えば一辺Ｌの正方形の下電極２２ａ，２２ｂ，…と、この上電極２１と下電極２２ａ，２２ｂ，…との間に挟み込まれた誘電体２３を備えている。
【０００６】
ここで、上電極２１は常に接地されている。そして、例えば図４（Ａ）に示すように、下電極２２ｄの位置に誘電体２３が位置している状態で、その左隣の下電極２２ｃにのみ例えば正電圧が切り換え印加されると（他の下電極は、接地電位）、当該下電極２２ｃの位置における上電極２１との間に電場が生じ、この電場に引き込まれるようにして、図４（Ｂ）に示すように誘電体２３が移動する。これは、電場の強い部分に誘電体が入り込み、これら電極により構成されるコンデンサの容量を大きくし、コンデンサのエネルギーを増やそうとするからである。（電源により、電極の電位が一定に保たれている状況では、電源よりエネルギーが供給されていることに注意する。）これは、いわゆる平行平板コンデンサに誘電体が引き込まれる現象と同じ現象である。
【０００７】
このような誘電体移動装置において、上電極２１は透明の電極、下電極２２ａ，２２ｂ，…はそれぞれ例えば白色に着色された電極、誘電体２３は例えば黒色に着色された高誘電率の物質（液体または固体）であり、上方から見た場合、透明の上電極２１を通して白色の各下電極２２ａ，２２ｂ，…間で移動する黒色の誘電体２３によりその位置が表示される。
【特許文献１】実開昭６１−１９６２８２号公報
【発明の開示】
【発明が解決しようとする課題】
【０００８】
ところで、前記図４（Ａ）で示したように、誘電体２３が下電極２２ｄの位置にあり、移動先となる隣の下電極２２ｃにのみ他の電極と異なる例えば正電圧を印加してその対向する上電極２１との間に電場を生じさせた場合に、この電場から当該誘電体２３が移動の原動力として受ける力は、誘電体２３が電場のある移動先の下電極２２ｃ上に届いていない位置では極端に弱く、その移動の先端が下電極２２ｃの直近にまで移動してやっと強くなる。
【０００９】
図５は、前記図４における下電極２２ｃにのみ他の電極と異なる例えば正電圧を印加した場合に誘電体２３が各位置において電場から受ける力の変化を示す図であり、同図（Ａ）は表形式で示す図、同図（Ｂ）はグラフ形式で示す図である。（これは電場シミュレーションにより、その位置における隣の点までの間に受ける力の平均値を示したもので、それぞれの数値はある基準の長さ、大きさで規格化したものである。）
この図５においては、下電極２２ａ，２２ｂ，…の長さＬ＝２０、上下電極対向間隔ｄｖ＝６、下電極２２ａ，２２ｂ，…の配列間隔ｄｈ＝４、誘電体２３の長さＫ＝２６である場合に、誘電体２３が下電極２２ｄ側から移動してくる際に受ける力の変化を示し、誘電体２３の位置の数値は当該誘電体２３の左端（移動先端）が下電極２２ｃ（Ｌ）および下電極間隔ｄｈの何処の位置にあるかを示す数値である。
【００１０】
例えば誘電体位置“０”は該誘電体２３の左端が下電極２２ｃの右端にあるときを示し、“１”〜“４”はｄｈ＝４である下電極２２ｃ〜２２ｄ間での同誘電体２３の左端位置を示し、さらに、“−１”〜“−２０”は下電極２２ｃ（Ｌ）上での同誘電体２３の左端位置を示す。（誘電体位置“ｄｈ”は該誘電体２３の左端が下電極２２ｄの左端にある図４（Ａ）の状態、誘電体位置“−２０（＝Ｌ）”は該誘電体２３の左端が下電極２２ｃの左端にある図４（Ｂ）の状態に対応する。）
すなわち、図４（Ａ）に示すように、誘電体２３がその左端（移動先端）を下電極２２ｄの左端に一致させた位置“４”にある状態で、移動先の下電極２２ｃにのみ他の電極と異なる電圧が印加されると、当該下電極２２ｃの範囲で上電極２１との間に電場が生じ、この電場から誘電体２３は移動先の下電極２２ｃ上に引き込まれる力を受けることになるが、この電場の強い下電極２２ｃの位置から移動元の下電極２２ｄまでは配列間隔ｄｈにより離れているために極端に弱い力しか受けることができない。
【００１１】
誘電体２３が、図４（Ａ）で示したように、移動元の下電極２２ｄ上にある状態でその移動の初期に受ける力が弱いと、当該誘電体２３の移動の応答性が悪く、例えば表示装置としての十分な性能を得ることができない。
【００１２】
このため、下電極２２ａ，２２ｂ，…同士の配列間隔ｄｈを狭く設定して移動先の下電極（２２ｃ）上で生じる電場からの影響をより受け易くすることが考えられるが、例えば当該電極間隔ｄｈ（＝４）よりもさらにその配列間隔ｄｈを狭く設定してしまうと、各下電極２２ａ，２２ｂ，…間での絶縁性が保てなくなるなどの不具合が起こる。
【００１３】
従って、前記下電極２２ａ，２２ｂ，…同士の配列間隔ｄｈ（＝４）を維持したまま誘電体２３がその移動初期に受ける力を大きくするためには、移動先となる下電極（２２ｃ）に対して印加する電圧を単純に高くする必要があったが、こうした場合、当該誘電体２３の移動先端がその移動先である下電極（２２ｃ）上の位置“０”〜“−２０”にまで移動したときに、必要以上に大きな力を受ける状態となり、電力消費が無駄になる問題があった。
【００１４】
本発明は、前記のような問題に鑑み成されたもので、隣接する電極間隔を狭くする必要がなく、また高い電圧を印加する必要もなく、誘電体がその移動初期から移動のための十分な力を受けることが可能になる誘電体移動装置を提供することを目的とする。
【課題を解決するための手段】
【００１５】
本発明の請求項１に記載の誘電体移動装置は、所定間隔を空けて所定方向に配列された複数の第１の電極と、前記複数の第１の電極の配列方向に平行に対向し、且つ前記複数の第１の電極のそれぞれに対して、前記複数の第１の電極の配列方向にずれて配置される複数の第２の電極と、前記第１の電極と第２の電極との間にその電極間を当該電極の配列方向に移動自在にして配置された誘電体と、を備えたことを特徴とする。
【００１６】
これによれば、誘電体の移動の初期から当該誘電体に対し直接的に電場による移動のための力を与えることができることになる。
【００１７】
本発明の請求項２に記載の誘電体移動装置は、前記請求項１に記載の誘電体移動装置にあって、前記複数の第１の電極および前記複数第２の電極うち、前記誘電体の位置に対して前記誘電体が移動しようとする向きにある側の電場が、前記誘電体の位置に対して前記移動しようとする向きと反対側の間に生じる電場より大きくなるように前記誘電体の位置に対して前記誘電体が移動しようとする向きにある側の第１の電極と第２の電極との少なくともいずれか一つに電圧を印加する電圧印加手段を備えたことを特徴とする。
【００１８】
これによれば、誘電体の移動の初期から移動の最後まで当該誘電体に対し直接的且つ連続的に電場による移動のための力を与えることができることになる。
【００１９】
本発明の請求項４に記載の誘電体移動装置は、前記請求項１に記載の誘電体移動装置にあって、第１の電極の長さと第２の電極の長さ、および第１の電極の配列間隔と第２の電極の配列間隔は、それぞれ同一であることを特徴とする。
【００２０】
これによれば、誘電体の移動に際し常に安定した電場による移動のための力を与えることができることになる。
【００２１】
本発明の請求項５に記載の誘電体移動装置は、前記請求項１に記載の誘電体移動装置にあって、第１の電極と第２の電極との対向位置のずらし幅は、電極の長さにその配列間隔を加えた長さの２分の１の幅であることを特徴とする。
【００２２】
これによれば、誘電体の移動に際し当該誘電体の移動の初期から常に安定した直接的な電場による移動のための力を与えることができることになる。
【発明の効果】
【００２３】
本発明の請求項１に記載の誘電体移動装置によれば、誘電体の移動の初期から当該誘電体に対し直接的に電場による移動のための力を与えることができる。
【００２４】
本発明の請求項２に記載の誘電体移動装置によれば、前記請求項１に記載の誘電体移動装置にあって、誘電体の移動の初期から移動の最後まで当該誘電体に対し直接的且つ連続的に電場による移動のための力を与えることができる。
【００２５】
本発明の請求項４に記載の誘電体移動装置によれば、前記請求項１に記載の誘電体移動装置にあって、誘電体の移動に際し常に安定した電場による移動のための力を与えることができる。
【００２６】
本発明の請求項５に記載の誘電体移動装置によれば、前記請求項１に記載の誘電体移動装置にあって、誘電体の移動に際し当該誘電体の移動の初期から常に安定して直接的な電場による移動のための力を与えることができる。
【００２７】
よって、本発明によれば、隣接する電極間隔を狭くする必要なく、また高い電圧を印加する必要もなく、誘電体がその移動初期から移動のための十分な力を受けることが可能になる誘電体移動装置を提供できる。
【発明を実施するための最良の形態】
【００２８】
以下図面により本発明の実施の形態について説明する。
【００２９】
図１は、本発明の実施形態に係る誘電体移動装置の構成および動作状態を示す図である。
【００３０】
この誘電体移動装置は、例えば正方平板形状の複数枚の第１の電極１１ａ，１１ｂ，…と同正方平板形状の複数枚の第２の電極１２ａ，１２ｂ，…を備えている。
【００３１】
第１の電極１１ａ，１１ｂ，…と第２の電極１２ａ，１２ｂ，…とは、それぞれ何れも縦（図面奥行き方向）、横がＬ×Ｌの正方形状を有し、それぞれ電極配列間隔ｄｈを保って並列に配置されると共に、この第１の電極１１ａ，１１ｂ，…と第２の電極１２ａ，１２ｂ，…とは、一定の対向間隔ｄｖで平行に対向配置され、しかもその対向配置の位置は各電極１１ａ，１１ｂ，…、１２ａ，１２ｂ，…が互いにその配列の方向に沿って半ピッチ分の（Ｌ＋ｄｈ）／２だけずらした位置で配置される。
【００３２】
そして、第１の電極１１ａ，１１ｂ，…と第２の電極２２ａ，２２ｂ，…との対向する空間（ｄｖ）には、誘電体１３が当該空間（ｄｖ）で横方向に移動自在にして配置される。
【００３３】
前記誘電体１３を前記各電極対向空間（ｄｖ）の横方向、つまり電極配列方向に沿って移動させる場合、第１の電極１１ａ，１１ｂ，…および第２の電極１２ａ，１２ｂ，…のうち、当該誘電体１３の移動方向先端が位置する移動先として最も直近の第１の電極１１ａ，１１ｂ，…または第２の電極１２ａ，１２ｂ，…を初めとして順次次の移動先となる第１の電極１１ａ，１１ｂ，…と第２の電極１２ａ，１２ｂ，…とに交互に他の電極と異なる例えば正の電圧が印加される。
【００３４】
すなわち、本実施形態の誘電体移動装置では、誘電体１３の移動方向に対応して対向配列されている当該誘電体１３を移動させるための電場を生じさせる第１の電極１１ａ，１１ｂ，…と第２の電極１２ａ，１２ｂ，…とを、互いにその配列方向に沿って半ピッチ分の（Ｌ＋ｄｈ）／２だけずらした位置で配置すると共に、誘電体１３の移動方向先端が位置している最初の移動先の第１または第２の電極から交互に第１の電極１１ａ，１１ｂ，…と第２の電極１２ａ，１２ｂ，…とに他の電極と異なる電圧を印加することで、誘電体１３の移動の際には、当該誘電体１３に対しその移動初期は勿論、その後も常に直接的に電場による力が与えられる構成とする。
【００３５】
ここで、本実施形態の誘電体移動装置における各部の寸法を次の通りとする。
【００３６】
第１電極および第２電極の長さ：Ｌ＝２０
第１電極および第２電極の配列間隔：ｄｈ＝  ４
第１電極と第２電極との対向間隔：ｄｖ＝  ６
誘電体の長さ  Ｋ＝２６
本実施形態において、誘電体１３の長さＫは、短くとも前記各電極１１ａ，１１ｂ，…、１２ａ，１２ｂ，…の一枚の長さＬとその電極配列間隔ｄｈを加えた長さを超える長さＫ（＞Ｌ＋ｄｈ）とし、当該誘電体１３が各電極間を移動し、例えば図１（Ａ）→（Ｃ）に示すように、その移動先端が移動先である第２の電極１２ｃの終端位置まで到達した状態で、その移動後端が移動元である第２の電極１２ｄとの間隔ｄｈから一切抜けることなく、当該移動元電極１２ｄの上にまで渡って残るようにする。
【００３７】
なお、本実施形態の誘電体移動装置では、第１電極１１ａ，１１ｂ，…または第１電極２２ａ，２２ｂ，…の何れかを透明の電極とすると共に、着色した誘電体１３を使用し、レベルメータなどの表示装置として構成する。
【００３８】
次に、前記構成による誘電体移動装置の動作について説明する。
【００３９】
図２は、前記図１における誘電体移動装置の第２の電極１２ｄ〜第１の電極１１ｃ〜第２の電極１２ｃへの誘電体１３の移動に際し第１の電極１１ｃと第２の電極１２ｃとにのみ順次他の電極と異なる例えば正電圧を印加した場合に誘電体１３が各位置において電場から受ける力の変化を示す図であり、同図（Ａ）は表形式で示す図、同図（Ｂ）はグラフ形式で示す図である。
【００４０】
すなわち、図１（Ａ）に示すように、誘電体１３が第２の電極１２ｄ上にその左端を一致させて位置している状態“４”で、第１の電極１１ａ，１１ｂ，…および第２の電極１２ａ，１２ｂ，…のうち当該誘電体１３の移動方向にある最初の電極（この場合は第１の電極１１ｃ）にのみ他の電極と異なる例えば正電圧を印加すると、当該第１の電極１１ｃ近傍の空間に生じる電場の直接的な影響によって、まず、誘電体１３は、その移動先端が移動の初期位置“４”にあるときから、図１（Ｂ）に示すように、前記正電圧を印加した第１の電極１１ｃの左端の直前の位置“−７”に到達するまで、移動方向への十分な力を受ける。この際、誘電体１３の移動先端がその移動開始の直後に移動先である第２の電極１２ｃの直近位置に移動する間で一時的な力の低下が見られるが、極端に低下した弱いものではなく、移動のための十分な力を維持していることが分かる。
【００４１】
そして、前記図１（Ｂ）で示したように、誘電体１３の移動先端が最初に電圧を印加した第１の電極１１ｃの左端まで移動した状態“−８”で、当該誘電体１３の移動方向にある次の電極（この場合は第２の電極１２ｃ）にのみ他の電極と異なる例えば正電圧を切り換えて印加すると、当該第２の電極１２ｃ近傍の空間に生じる電場の直接的な影響によって、さらに、誘電体１３は、その移動先端が前記第１の電極１１ｃの左端の位置“−８”にあるときから、図１（Ｃ）に示すように、今回正電圧を印加した第２の電極１２ｃの左端の位置“−２０”に到達するまで、前回第１の電極１１ｃへ電圧印加したときと同様のレベルで、移動方向への十分な力を受ける。この際も前回の電圧印加時同様に、誘電体１３の移動先端が第１の電極１１ｃからの移動開始の直後に電場が強く生じ始める第１の電極１１ｂの直近位置に移動する間で一時的な力の低下が見られるが、極端に低下した弱いものではなく、移動のための十分な力を維持していることが分かる。
【００４２】
図３は、前記図１における本実施形態の誘電体移動装置において第２の電極１２ｄ〜第１の電極１１ｃ〜第２の電極１２ｃへの誘電体１３の移動に際し当該誘電体１３が各位置において電場から受ける力の変化と前記図４における従来の誘電体移動装置において下電極２２ｄ〜２２ｃへの誘電体２３の移動に際し当該誘電体２３が各位置において電場から受ける力の変化とを対比して示す図であり、同図（Ａ）は表形式で示す図、同図（Ｂ）はグラフ形式で示す図である。
【００４３】
ここで、図１における本実施形態の誘電体移動装置における第２の電極１２ａ，１２ｂ，…の長さＬ、当該電極の配列間隔ｄｈ、第１〜第２電極間隔ｄｖ、誘電体１３の長さＫと、前記図４における従来の誘電体移動装置における下電極２２ａ，２２ｂ，…の長さＬ、当該電極の配列間隔ｄｈ、上下電極間隔ｄｖ、誘電体２３の長さＫとは全く同一であり、電極に印加する電圧レベルも同一とする。
【００４４】
すなわち、図３における本実施形態の誘電体移動装置での誘電体移動時の力の変化特性と従来の誘電体移動装置での誘電体移動時の力の変化特性とは、前記図２で示した本実施形態における変化特性と前記図５で示した従来における変化特性とを単純に重ねて比較したもので、同図から明らかなように、まず、本実施形態での誘電体１３がその移動初期および移動開始直後に受ける力の値が従来のそれに比較して大幅に上昇していることが分かる。
【００４５】
そして、誘電体１３の移動先端が移動先である隣接の第２の電極（この場合には１２ｃ）上にまで移動した後は、当該電極１２ｃの左端（移動終端）に到達するまで従来と略同様の移動のための十分な力を安定して受けていることが分かる。
【００４６】
このため、誘電体１３は、その移動開始位置“４”から移動終了位置“−２０”まで応答性良くスムーズに移動されるようになる。
【００４７】
したがって、前記構成の誘電体移動装置によれば、同一平板形状の複数の第１の電極１１ａ，１１ｂ，…と複数の第２の電極１２ａ，１２ｂ，…とを、それぞれ配列間隔ｄｈで平面方向に配列し、当該第１の電極配列と第２の電極配列とを各電極平面を対向間隔ｄｖで対向させると共に、その位置を電極配列方向に半ピッチ分ずらして平行に配置し、第１の電極１１ａ，１１ｂ，…と第２の電極１２ａ，１２ｂ，…との対向空間（ｄｖ）に電極配列方向に移動自在にした誘電体１３を挟み込み、該誘電体１３のある位置から移動方向に順次半ピッチ分ずらして対向配置された前記第１の電極１１ａ，１１ｂ，…と第２の電極１２ａ，１２ｂ，…とに交互に他の電極と異なる電圧を印加することで、誘電体１３の移動の際には、当該誘電体１３に対しその移動初期は勿論、その後も常に直接的に電場による移動のための力が安定して与えられるようにしたので、隣接する電極間隔を狭くする必要なく、また高い電圧を印加する必要もなく、誘電体がその移動初期から移動のための十分な力を受けることができるようになる。
【００４８】
よって、誘電体１３をその移動開始位置から移動終了位置まで応答性良くスムーズに移動させることができる。
【００４９】
なお、前記実施形態では、誘電体１３の第１の電極１１ａ，１１ｂ，…と第２の電極１２ａ，１２ｂ，…それぞれの長さＬ＝２０、各電極の配列間隔ｄｈ＝４、第１と第２の電極との対向間隔ｄｖ＝６、誘電体１３の長さＫ＝２６として説明したが、それぞれこの長さの数値に限定されることはなく、要するに対向して平行に配列された第１の電極１１ａ，１１ｂ，…と第２の電極１２ａ，１２ｂ，…とを、その配列方向に（好ましくは半ピッチ分の（Ｌ＋ｄｈ）／２））ずらして配置すると共に、誘電体１３の移動の際には、当該誘電体１３の移動先端が位置する移動方向に直近の第１または第２の電極から順次ずらして配置した前記第１または第２の電極に交互に他の電極と異なる電圧を印加するよう構成すればよいものである。
【００５０】
また、前記実施形態では、第１の電極１１ａ，１１ｂ，…と第２の電極１２ａ，１２ｂ，…とを何れも平面形状として対向して配列し、その間（ｄｖ）に挟み込んだ誘電体１３を当該各電極１１ａ，１２ｂ，…、１２ａ，１２ｂ，…の配列方向に沿って直線状に移動させる構成としたが、前記各電極１１ａ，１１ｂ，…、１２ａ，１２ｂ，…を曲面形状にして曲線状に対向配列すると共に誘電体１３もその曲率に合わせて形成し、曲線状に移動させる構成としてもよい。
【００５１】
また、前記実施形態では、他の電極と異なる電圧として例えば正電圧として説明したが、負電圧であってもよい。
【００５２】
なお、本願発明は、前記各実施形態に限定されるものではなく、実施段階ではその要旨を逸脱しない範囲で種々に変形することが可能である。さらに、前記各実施形態には種々の段階の発明が含まれており、開示される複数の構成要件における適宜な組み合わせにより種々の発明が抽出され得る。例えば、各実施形態に示される全構成要件から幾つかの構成要件が削除されたり、幾つかの構成要件が組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【図面の簡単な説明】
【００５３】
【図１】本発明の実施形態に係る誘電体移動装置の構成および動作状態を示す図。
【図２】前記図１における誘電体移動装置の第２の電極１２ｄ〜第１の電極１１ｃ〜第２の電極１２ｃへの誘電体１３の移動に際し第１の電極１１ｃと第２の電極１２ｃとに順次他の電極と異なる例えば正電圧を印加した場合に誘電体１３が各位置において電場から受ける力の変化を示す図であり、同図（Ａ）は表形式で示す図、同図（Ｂ）はグラフ形式で示す図。
【図３】図１における本実施形態の誘電体移動装置において第２の電極１２ｄ〜第１の電極１１ｃ〜第２の電極１２ｃへの誘電体１３の移動に際し当該誘電体１３が各位置において電場から受ける力の変化と図４における従来の誘電体移動装置において下電極２２ｄ〜２２ｃへの誘電体２３の移動に際し当該誘電体２３が各位置において電場から受ける力の変化とを対比して示す図であり、同図（Ａ）は表形式で示す図、同図（Ｂ）はグラフ形式で示す図。
【図４】従来の誘電体移動装置の構成および動作状態を示す図。
【図５】図４における下電極２２ｃにのみ他の電極と異なる例えば正電圧を印加した場合に誘電体２３が各位置において電場から受ける力の変化を示す図であり、同図（Ａ）は表形式で示す図、同図（Ｂ）はグラフ形式で示す図。
【符号の説明】
【００５４】
１１ａ，１１ｂ，…第１の電極
１２ａ，１２ｂ，…第２の電極
１３  …誘電体
Ｌ  …電極の長さ
ｄｈ…電極配列間隔
ｄｖ…電極対向間隔
Ｋ  …誘電体の長さ
【図１】
2006221088.tif 000003
【図２】
2006221088.tif 000004
【図３】
2006221088.tif 000005
【図４】
2006221088.tif 000006
【図５】
2006221088.tif 000007